(57)【特許請求の範囲】
【請求項１】
便器の後部に設置され、便座及び便蓋を便器に対し開閉自在に保持したハウジングと、
前記ハウジング内に配設され、人体局部に向けて洗浄水を放出する洗浄ノズル機構と、
前記ハウジング内に形成され、洗浄後に人体局部を乾燥するための温風吹出し機構と、
前記ハウジング内に形成され、便器側の臭気を浄化する脱臭機構と、
を備える脱臭機能付き洗浄便座装置において、
前記脱臭機構は、便器側の臭気を前記ハウジング外部へ導く脱臭用の脱臭導風ダクトと前記脱臭導風ダクト内に設けられた脱臭用ファンと前記脱臭用ファンを駆動する脱臭用アクチュエータとを有し、
前記温風吹出し機構は、吹出し口へ温風を導く温風吹出し用の温風導風ダクトと前記温風導風ダクト内に配置された温風用ファンと温風の熱源たる発熱部と前記脱臭導風ダクト内に配置され前記温風用ファンを駆動する温風駆動用アクチュエータとを有し、
前記脱臭導風ダクト内を流れる風を利用して前記温風駆動用アクチュエータを冷却するようにしたことを特徴とする脱臭機能付き洗浄便座装置。
【請求項２】
前記発熱部は前記温風用ファンの上流に設けられていることを特徴とする請求項１に記載の脱臭機能付き洗浄便座装置。
【請求項３】
前記温風導風ダクトと前記脱臭導風ダクトの上下の壁部材の一部が共用されていることを特徴とする請求項１又は２に記載の脱臭機能付き洗浄便座装置。
【請求項４】
前記温風導風ダクトは、前記脱臭導風ダクトの上部に配設されることを特徴とする請求項３に記載の脱臭機能付き洗浄便座装置。
【発明の詳細な説明】
【０００１】
【産業上の利用分野】
本発明は、脱臭機構によって生起される風を利用して温風駆動用アクチュエータを冷却するようにした脱臭機能付き洗浄便座装置に関する。
【０００２】
【従来の技術】
用便後に人体局部を洗浄水で洗浄する便座装置では、洗浄後に人体局部を乾燥するための温風吹出し機構が備えられる。この温風吹出し機構は、便器上のハウジング内に構成され、吹出し口及び吸気口をもつ導風ダクトと、該導風ダクト内に吸気と送気との風を生起するファンと、該ファンの吸気側（上流側）又は送気側（下流側）に設置される発熱部と、前記ファンを駆動する温風駆動用アクチュエータとから構成される。
【０００３】
特開昭６２−２７３３４号公報には、上記構成を有する温風吹出し機構が開示されている。図６は上記公報に開示された従来の洗浄便座装置を示す。図６は洗浄便座装置を上方から見たもので、便器１の上部に設置されたハウジング２内において、該ハウジング２のほぼ前後方向に風路を貫通させた導風ダクト３が内装されている。すなわち、導風ダクト３の吸入口３ａは、ハウジング２の背面より外部に臨み、導風ダクト３の吹出し口３ｂは、ハウジング２の前面より便器１の開放空間Ｓに臨んでいる。温風駆動用アクチュエータ４は、吸気口３ａに隣接した吸気室１０の支持体５により回転機構部が配置され、温風駆動用アクチュエータ４の出力軸部は導風ダクト３の風路の貫通方向と直交するように突設されている。該出力軸部にはファン６が装着され、ファン６が設置された風路部分（以下、ファン室７という）と、ファン６によって送気が生成される風路部分（以下、送気室８という）は直状となっている。送気室８には、発熱部９が配設され、該発熱部９によって、ファン６からの送気は温風化されて吹出し口３ｂより導出されるようになっている。
【０００４】
また、上記洗浄便座装置には、導風ダクト３に隣接して脱臭剤１１が装填された風路が形成されている。該風路は、導風ダクト３の一部とハウジング２の一部とで構成される導風ダクト１２によって形成され、便器１の開放空間側には吸入口１２ａが臨み、ハウジング２の背面には外部に臨む吹出し口１２ｂが形成されている。そして、吹出し口１２ｂ寄りの導風ダクト１２内には、脱臭駆動用アクチュエータ１３及びファン１４が装置されている。
【０００５】
このような構成では、支持体５の周囲を未だ冷風状態の吸気が通過することによって温風駆動用アクチュエータ４の回転機構部を冷却（自己冷却方式）するとともに、該回転機構部を吸気室１０によって発熱部９と離間している。これにより、温風駆動用アクチュエータ４は、発熱部９からの熱的負荷による発熱が回避されることによって小定格で小型のものの使用が可能となり、温風吹出し機構全体のコンパクト化が図られている。
【０００６】
【発明が解決しようとする課題】
しかしながら、上記従来装置のように温風駆動用アクチュエータの自己冷却方式を採用すると、発熱部９の設置位置がファン６より下流側の送気室８に制約されてしまう。このため、発熱部９が設置される送気室８の奥行きを広くとれない場合は、発熱部９は吹出し口３ｂに近くなり、便器側からの洗浄水や尿等の侵入によるこれらの発熱部９への付着を回避できない。発熱部９は、ニクロム線等の電気ヒータを電気絶縁板に支持したもので、効率上、電気ヒータは露出されることが好ましい。従って、上記のごとく発熱部９が吹出し口３ｂの近くになる場合は、洗浄水や尿等が露出状態の電気ヒータに付着して表面を腐食させ、電気ヒータの寿命を早める等の不具合を招くことになる。
【０００７】
そこで、上記従来装置では、電気ヒータへの洗浄水や尿の付着防止策として、電気ヒータの表面を耐水性、耐食性のある材料で被覆する特殊処理を施すことを開示するが、発熱部９が高価となるとともに、効率が低下するという欠点を生じている。
このように従来の洗浄便座装置では、温風吹出し機構全体のコンパクト化を達成するため、発熱部９をファン６より下流に設置して温風駆動用アクチュエータ４を自己冷却しているため、その不具合点として、発熱部９の耐水性、耐食性を確保するための特殊処理が必要となり、発熱部９が高価となるとともに効率が低下するという問題が生じている。
【０００８】
なお、上記従来装置では、導風ダクト３に隣接された脱臭機構に関し、脱臭駆動用アクチュエータ１３と、温風駆動用アクチュエータ４とを、同時或いは別々に必要に応じて作動させることが記載されているのみである。
本発明は、上記実情に鑑みてなされたもので、発熱部をファンの上流に設けても温風駆動用アクチュエータを充分に冷却することができる構成であって、温風吹出し機構のコンパクト化を妨げとならないようにすることを解決すべき課題とする。
【０００９】
また、本発明は、電気ヒータを効率のよい露出状態で使用でき、表面の特殊処理を廃止することを目的とする。
【００１０】
【課題を解決するための手段】
本発明の脱臭機能付き洗浄便座装置は、便器の後部に設置され、便座及び便蓋を便器に対し開閉自在に保持したハウジングと、前記ハウジング内に配設され、人体局部に向けて洗浄水を放出する洗浄ノズル機構と、前記ハウジング内に形成され、洗浄後に人体局部を乾燥するための温風吹出し機構と、前記ハウジング内に形成され、便器側の臭気を浄化する脱臭機構と、備える脱臭機能付き洗浄便座装置において、
前記脱臭機構は、便器側の臭気を前記ハウジング外部へ導く脱臭用の脱臭導風ダクトと前記脱臭導風ダクト内に設けられた脱臭用ファンと前記脱臭用ファンを駆動する脱臭用アクチュエータとを有し、
前記温風吹出し機構は、吹出し口へ温風を導く温風吹出し用の温風導風ダクトと前記温風導風ダクト内に配置された温風用ファンと温風の熱源たる発熱部と前記脱臭導風ダクト内に配置され前記温風用ファンを駆動する温風駆動用アクチュエータとを有し、
前記脱臭導風ダクト内を流れる風を利用して前記温風駆動用アクチュエータを冷却するようにしたことを特徴とする。
【００１１】
好適な態様では、前記発熱部は前記温風ファンの上流に設けられ、前記温風吹出し用の温風導風ダクトと前記脱臭用の脱臭導風ダクトの上下の壁部材の一部が共用されている。さらには、前記温風吹出し用の導風ダクトは、前記脱臭用の導風ダクトの上部に配設される。
【００１２】
【作用】
本発明の脱臭機能付き洗浄便座装置は、ハウジングおよび前記ハウジング内にそれぞれ形成された洗浄ノズル機構、温風吹出し機構、脱臭機構を備える脱臭機能付き洗浄便座装置において、前記脱臭機構は、便器側の臭気を前記ハウジング外部へ導く脱臭導風ダクトこの脱臭導風ダクト内に設けられた脱臭用ファンとこの脱臭用ファンを駆動する脱臭用アクチュエータとを有し、前記温風吹出し機構は、吹出し口へ温風を導く温風導風ダクトと前記温風導風ダクト内に配置された温風用ファンと温風の熱源たる発熱部と前記脱臭導風ダクト内に配置され前記温風用ファンを駆動する温風駆動用アクチュエータとを有している。
本発明の脱臭機能付き洗浄便座装置では、それぞれファン及びそれを駆動するアクチュエータを温風吹出し機構および脱臭機構の両機構がそれぞれ備えている。このため温風吹出し機構及び脱臭機構はそれぞれ単独でも、両者同時でも使用できる。また、温風駆動用アクチュエータは脱臭導風ダクト内に配置されているため、この温風駆動用アクチュエータはそれ自体が駆動されていなくとも脱臭導風ダクト内を流れる風により冷却される。
発熱部を温風用ファンの上流に設けた場合でも、温風駆動用アクチュエータは脱臭導風ダクト内に設けられているので、温風導風ダクト内を流れる温風により温風駆動用アクチュエータが加熱されることが少ない。さらに温風駆動用アクチュエータは脱臭ダクト内を流れる加熱されていない空気で冷却される。
【００１３】
【発明の効果】
本発明の脱臭機能付き洗浄便座装置では、温風吹出し機構及び脱臭機構はそれぞれ単独でも、両者同時でも使用でき、使用者の好みの態様を選択できる。さらに、温風駆動用アクチュエータは脱臭導風ダクト内に配置されているため、この温風駆動用アクチュエータは脱臭導風ダクト内を流れる風により冷却される。この効果は、温風駆動用アクチュエータ自体が駆動されていなくとも脱臭ダクトに風がながれている場合には生ずる。
温風を作る発熱部が温風用ファンの上流に設けられている場合でも、温風用ファンを駆動する温風用アクチュエータが脱臭ダクト内に設けられているので、温風用アクチュエータは発熱部で加熱されることが少ない。また、温風吹出し機構のコンパクト化を妨げとならないようにすることができる。なお、発熱部が温風用ファンの上流に設けられている場合、吹き出し口から侵入した洗浄水や尿は温風用ファンに妨げられて発熱部に到達できない。このため発熱部は洗浄水や尿で損傷される恐れがない。
また、温風導風ダクトの壁部材と、脱臭導風ダクトと壁部材のいずれか一方を境界壁として共用した場合には、高さ方向の小型化が可能となり温風吹出し機構のコンパクト化、材料費の低減、組立て形態の簡潔化、などをなし得る。
【００１４】
【実施例】
以下、本発明に係る脱臭機能付き洗浄便座装置の実施例を図１〜図５に基づい
て詳細に説明する。ここで、図１は実施例に係る脱臭機能付き洗浄便座装置の外観斜視図、図はその平断面図、図３は図２のIII−III線に沿う断面図、図４は図２のＶI−ＶI線に沿う断面図、図５は図２のＶ−Ｖ線に沿う断面図である。
実施例の脱臭機能付き洗浄便座装置は、図１に示すように、便器２１の後部上に載置形態で設置されたハウジング２２と、該ハウジング２２によって便器２１に対し開閉自在に保持された便蓋２３及び便座２４と、ハウジング２２の後方に設置されたロータンク２５とを主体に構成され、ハウジング２２内には、図２及び図３に示すように、温風吹出し機構２６と脱臭機構２７とが上下に隣接して構成されている。なお、ハウジング２２内には、便器２１のほぼ中心となる人体局部に向けて洗浄水を放出する洗浄ノズル機構（図略）も設けられる。
【００１５】
温風吹出し機構２６と脱臭機構２７は、それぞれ便器２１の開放空間に吹出し口２８ａ及び吸入口２９ａを臨ませた温風導風ダクト２８及び脱臭導風ダクト２９を主体に構成されている。
温風導風ダクト２８は、脱臭導風ダクト２９の上にラップ状態で積み重ねられ、脱臭導風ダクト２９との上下の境界壁の一部を共用する構成であり、図４に示すように、吹出し口２８ａから内方へかけて上側に傾斜した導入部２８ｃをもち、この導入部２８ｃの終端にファン室２８ｄが連設され、ファン室２８ｄは上方開口の吸気口２８ｂを介してハウジング２２の内部空間２２ａと連通している。
導入部２８ｃは、脱臭導風ダクト２９と共用する境界壁となる傾斜下壁２８０を備える。
また、ファン室２８ｄは、傾斜下壁２８０に連設され脱臭導風ダクト２９と共用する境界壁となるファン室底壁２８１及びファン室底壁２８１の側端から垂下するファン室垂直側壁２８２を備える。
【００１６】
脱臭機構２７の脱臭導風ダクト２９は、図５に示すように、上記温風導風ダクト２８の導入部２８ｃ及びファン室２８ｄの下側に形成された導入路２９ｃを備える。
この導入路２９ｃは、温風導風ダクト２８との上下の境界壁の一部となる導入部２８ｃの傾斜下壁２８０及びファン室２８ｄのファン室底壁２８１とファン室垂直側壁２８２と、ハウジング２２の垂直側壁２２０及び底壁２２１とによって形成され、一側より温風導風ダクト２８と分かれて脱臭用の機構室２９ｄに連通している。機構室２９ｄは脱臭剤収納室２９ｅに連通している。
このように、実施例の脱臭機能付き洗浄便座装置によると、温風導風ダクト２８と脱臭導風ダクト２９との上下の境界壁の一部は、温風導風ダクト２８の導入部２８ｃの傾斜下壁２８０及びファン室２８ｄの底壁２８１とで共用することができる。
このため、温風導風ダクト２８を脱臭導風ダクト２９の上に配設する場合、境界壁を共用した分、高さ方向の小型化が可能となり温風吹出し機構２６のコンパクト化、材料費の低減、組立て形態の簡潔化、などをなし得る。
【００１７】
ここで、ＤＣブラシモータ等にて構成される温風駆動用アクチュエータ３０は、上記脱臭導風ダクト２９における導入路２９ｃに回転機構部３０ａが配設され、温風導風ダクト２８のファン室２８ｄに出力軸部３０ｂが突設されている。そして、出力軸部３０ｂには、温風用ファン３１が装着されている。温風導風ダクト２８は、ファン室２８ｄより導入部２８ｃ側に送気が生起され、吸気口２８ｂ側に吸気が生起される。
【００１８】
また、ファン室２８ｄの吸気口２８ｂの上側、すなわち、ハウジング２２の内部空間２２ａには、電気ヒータ３２ａによる発熱部３２が配設されている。このように本実施例の発熱部３２は、洗浄水や尿の侵入のおそれのない温風用ファン３１より上流に位置されるので電気ヒータ３２ａへの特殊処理が不要となる。しかも、発熱部３２は、吸気口２８ｂより温風導風ダクト２８の外側に位置され、下方の温風駆動用アクチュエータ３０の回転機構部３０ａとはファン室２８ｄを隔てて配置されているので、もともと少ない下方への輻射熱の回転機構部３０ａへの伝熱をより少なくしている。
【００１９】
一方、脱臭導風ダクト２９の機構室２９ｄには、ＤＣブラシレスモータ等を用いた脱臭用アクチュエータ３３と脱臭用ファン３４とが配設されている。更に、脱臭剤収納室２９ｅには、カートリッジ形式で交換可能な脱臭剤３５が装填されるようになっている。また、脱臭剤収納室２９ｅには、ハウジング２２の内部空間２２ａと連通して吹出し口２９ｂが形成され、吹出し口２９ｂは、ハウジング２２に設けられた蓋３６と対面されている。この構成により、便器２１側の吸気口２９ａより吸入された臭気をもつ空気は、脱臭剤３５で浄化され、その浄化された空気は、ハウジング２２の内部空間２２ａに溜められるようになっている。また、脱臭剤３５は、蓋３６を開いて交換することができる。この場合、脱臭剤３５は、脱臭剤収納室２９ｅ内で抜け止め状態で保持されるようになっている。
【００２０】
この他、温風導風ダクト２８の吹出し口２８ａには、送気によって開放する羽蓋３７を設けるとともに、該吹出し口２８ａに対面するハウジング前面には、開口３８が穿たれている。
上記構成を有する脱臭機能付き洗浄便座装置の温風吹出し機構２６の動作は、洗浄ノズル機構の動作の後、操作ボタンが押されると、温風駆動用アクチュエータ３０が作動し、温風用ファン３１によって、温風導風ダクト２８内に吸気口２８ｂからファン室２８ｄ及び導入部２８ｃ内を経て吹出し口２８ａへ流れる風が生起する。これによって、羽蓋３７が開放され、開口３８より温風が吹出して人体局部を乾燥する。吸気口２８ｂから吸入される空気は、ハウジンング２２の内部空間２２ａに存在する空気であり、このハウジング内の空気は、ハウジング２２に特別に形成した窓、或いは自然開放口よりの外気や、脱臭機構２７を作動させている場合は、脱臭剤３５を通過した浄化されたハウジング２２内の空気である。
【００２１】
また、脱臭機構２７の動作は、例えば便座２４に人が着座すると、タイマーによって脱臭用アクチュエータ３３が動作し、脱臭用ファン３４によって生起された吸入口２９ａへの吸気により便器２１側の臭気を脱臭導風ダクト２９内に取り込み、導入路２９ｃ、機構室２９ｄ及び脱臭剤収納室２９ｅの脱臭剤内部を経て吹出し口２９ｂよりハウジング２２の内部空間２２ａへ浄化空気を放出する。この浄化空気は、温風吹出し機構２６の場合とは逆に、ハウジング２２に特別に形成した窓、或いは自然開放口より外部に排出される。
【００２２】
このように本実施例の温風吹出し機構２６は、ハウジング２２の内部空間２２ａに吸気口２８ｂを連通させ、かつ、脱臭機構２７の吹出し口２９ｂをハウジング２２の内部空間２２ａに連通させているので、脱臭機構２７による浄化空気の一部が温風となって吹き出されるという循環作用を奏し、使用者に一層清潔な感じを与える。
ところで、本実施例では、温風吹出し機構２６の温風導風ダクト２８を脱臭機構２７における脱臭導風ダクト２９の導入路２９ｃ上に隣接し、導入路２９ｃ内に温風駆動用アクチュエータ３０の回転機構部３０ａを配設したので、回転機構部３０ａは、導入路２９ｃを流れる風によって冷却される。これにより、発熱部３２を温風用ファン３１の上流に設けるにもかかわらず、温風駆動用アクチュエータ３０としては小定格で小型の種類を使用できるため、前記温風導風ダクト２８と脱臭導風ダクト２９との上下の境界壁を共用する場合と同じように、温風吹出し機構２６のコンパクト化をなし得る。
【図面の簡単な説明】
【図１】本発明の一実施例に係る脱臭機能付き洗浄便座装置の外観斜視図。
【図２】図１の平断面図。
【図３】図２のＩＩＩ−ＩＩＩ線に沿う断面図。
【図４】図２のＩＶ−ＩＶ線に沿う断面図。
【図５】図２のＶ−Ｖ線に沿う断面図。
【図６】従来の脱臭機能付き洗浄便座装置を説明するための説明図。
【符号の説明】
２１…便器、２２…ハウジング、２３…便蓋、２４…便座、２６…温風吹出し機構（２８…温風導風ダクト、３０…温風駆動用アクチュエータ、３１…温風用ファン、３２…発熱部、２８ａ…吹出し口、２８ｂ…吸気口）、２７…脱臭機構（２９…脱臭導風ダクト、３３…脱臭用アクチュエータ、３４…脱臭用ファン、３５…脱臭剤、２９ａ…吸気口、２９ｂ…吹出し口）。
【図１】
0003579668.tif 000002
【図２】
0003579668.tif 000003
【図３】
0003579668.tif 000004
【図４】
0003579668.tif 000005
【図５】
0003579668.tif 000006
【図６】
0003579668.tif 000007